(57)【要約】【課題】磁気切符や非接触ＩＣカードを用いて改札入出場する人の所持する携帯端末の電源オン，オフ状態を読み取って警告する。【解決手段】改札入場時に近接型通信部２１が携帯端末１０から電源状態情報と携帯端末ＩＤを受信し電源状態情報がオン状態であった場合に、携帯端末１０に電源オフ要求情報を送信し、磁気切符による入場を検出した場合、または、近接型通信部２１が非接触ＩＣカードによる入場を検出した場合に、近傍型通信部２２が携帯端末１０から電源状態情報を読み取り、読み取った電源状態情報がオン状態であった場合にオフ状態にするよう警告する。【選択図】      図１
2007004540.tif 000002
【特許請求の範囲】
【請求項１】
携帯端末と自動改札機を備えた非接触通信による改札入出場管理システムであって、
前記携帯端末は、携帯端末ＩＤが予め登録され近接型通信を行う第１の非接触ＩＣ部と、近傍型通信を行う第２の非接触ＩＣ部と、電源のオン，オフ状態が変わる度に電源状態情報を前記第１および第２の非接触ＩＣ部に登録，更新する手段と、前記自動改札機から電源オフ要求情報を受信して電源をオフ状態にする手段とを有し、
前記自動改札機は、近接型通信を行う第１の通信部と、近傍型通信を行う第２の通信部と、改札入場時に前記第１の通信部が前記携帯端末から電源状態情報と携帯端末ＩＤを受信し電源状態情報がオン状態であった場合に、前記携帯端末に電源オフ要求情報を送信する手段と、磁気切符による入場を検出した場合、または、前記第１の通信部が非接触ＩＣカードによる入場を検出した場合に、前記第２の通信部が前記携帯端末から電源状態情報を読み取る手段と、読み取った電源状態情報がオン状態であった場合にオフ状態にするよう警告する手段とを有することを特徴とする非接触通信による改札入出場管理システム。
【請求項２】
前記携帯端末は、前記自動改札機からの要求で電源をオフ状態にしたときに、オフ完了情報を前記自動改札機に送信するとともに前記第１の非接触ＩＣ部に登録する手段をさらに有し、前記自動改札機は、オフ完了情報を受信したときに電源をオフ状態にしたことを表示する手段をさらに有することを特徴とする請求項１記載の非接触通信による改札入出場管理システム。
【請求項３】
前記自動改札機は、前記第２の通信部が前記携帯端末から読み取った電源状態情報がオン状態であった場合に自動改札機に備えられたゲートを閉じる手段を、さらに有することを特徴とする請求項１または２記載の非接触通信による改札入出場管理システム。
【請求項４】
携帯端末と自動改札機を備えた非接触通信による改札入出場管理システムであって、
前記携帯端末は、携帯端末ＩＤが予め登録され近接型通信を行う第１の非接触ＩＣ部と、近傍型通信を行う第２の非接触ＩＣ部と、電源のオン，オフ状態が変わる度に電源状態情報を前記第１および第２の非接触ＩＣ部に登録，更新する手段と、改札入場時に前記自動改札機から電源オフ要求情報を受信して電源をオフ状態にし、オフ完了情報を前記第１の非接触ＩＣ部に登録する手段と、改札出場時に前記自動改札機から電源オン要求情報を受信して電源をオン状態にする手段とを有し、
前記自動改札機は、近接型通信を行う第１の通信部と、近傍型通信を行う第２の通信部と、改札入場時に前記第１の通信部が前記携帯端末から電源状態情報と携帯端末ＩＤを受信し電源状態情報がオン状態であった場合に、前記携帯端末に電源オフ要求情報を送信する手段と、磁気切符による入場を検出した場合、または、前記第１の通信部が非接触ＩＣカードによる入場を検出した場合に、前記第２の通信部が前記携帯端末から電源状態情報を読み取る手段と、読み取った電源状態情報がオン状態であった場合にオフ状態にするよう警告する手段と、改札出場時に前記第１の通信部が電源状態情報，オフ完了情報および携帯端末ＩＤを受信し電源状態情報がオフ状態であった場合に、前記携帯端末に電源オン要求情報を送信する手段と、磁気切符による出場を検出した場合、または、前記第１の通信部が非接触ＩＣカードによる出場を検出した場合に、前記第２の通信部が前記携帯端末から電源状態情報を読み取る手段と、読み取った電源状態情報がオフ状態であった場合に電源がオフ状態であることを表示する手段とを有することを特徴とする非接触通信による改札入出場管理システム。
【請求項５】
前記携帯端末はオフ完了情報を前記自動改札機に送信する手段をさらに有し、前記自動改札機はオフ完了情報を受信したときに電源をオフ状態にしたことを表示する手段をさらに有することを特徴とする請求項４記載の非接触通信による改札入出場管理システム。
【請求項６】
前記携帯端末は、改札出場時に前記自動改札機から電源オン要求情報を受信して電源をオン状態にしたときに、オン完了情報を前記自動改札機に送信する手段をさらに有し、前記自動改札機は、オン完了情報を受信したときに電源をオン状態にしたことを表示する手段をさらに有することを特徴とする請求項４または５記載の非接触通信による改札入出場管理システム。
【請求項７】
携帯端末ＩＤが予め登録され近接型通信を行う第１の非接触ＩＣ部と、近傍型通信を行う第２の非接触ＩＣ部と、電源のオン，オフ状態が変わる度に電源状態情報を前記第１および第２の非接触ＩＣ部に登録，更新する手段と、外部装置から前記第１の非接触ＩＣ部を介して電源オフ要求情報を受信し電源をオフ状態にする手段とを有することを特徴とする携帯端末。
【請求項８】
電源オフ要求情報を受信し電源をオフ状態にしたときに、オフ完了情報を前記第１の非接触ＩＣ部に登録するとともに前記外部装置に送信する手段を、さらに有することを特徴とする請求項７記載の携帯端末。
【請求項９】
携帯端末ＩＤが予め登録され近接型通信を行う第１の非接触ＩＣ部と、近傍型通信を行う第２の非接触ＩＣ部と、電源のオン，オフ状態が変わる度に電源状態情報を前記第１および第２の非接触ＩＣ部に登録，更新する手段と、改札入場時に外部装置から前記第１の非接触ＩＣ部を介して電源オフ要求情報を受信し電源をオフ状態にする手段と、オフ完了情報を前記第１の非接触ＩＣ部に登録する手段と、改札出場時に前記外部装置から前記第１の非接触ＩＣ部を介して電源オン要求情報を受信し電源をオン状態にする手段とを有することを特徴とする携帯端末。
【請求項１０】
オフ完了情報を前記外部装置に送信する手段と、電源オン要求情報を受信して電源をオン状態にしたときに、オン完了情報を前記外部装置に送信する手段とを、さらに有することを特徴とする請求項９記載の携帯端末。
【請求項１１】
近接型通信を行う第１の通信部と、近傍型通信を行う第２の通信部と、改札入場時に前記第１の通信部が携帯端末から電源状態情報と携帯端末ＩＤを受信し電源状態情報がオン状態であった場合に、前記携帯端末に電源オフ要求情報を送信する手段と、磁気切符による入場を検出した場合、または、前記第１の通信部が非接触ＩＣカードによる入場を検出した場合に、前記第２の通信部が前記携帯端末から電源状態情報を読み取る手段と、読み取った電源状態情報がオン状態であった場合にオフ状態にするよう警告する手段とを有することを特徴とする自動改札機。
【請求項１２】
前記携帯端末からオフ完了情報を受信することにより電源をオフ状態にしたことを表示する手段を、さらに有することを特徴とする請求項１１記載の自動改札機。
【請求項１３】
近接型通信を行う第１の通信部と、近傍型通信を行う第２の通信部と、改札入場時に前記第１の通信部が携帯端末から電源状態情報と携帯端末ＩＤを受信し電源状態情報がオン状態であった場合に、前記携帯端末に電源オフ要求情報を送信する手段と、磁気切符による入場を検出した場合、または、前記第１の通信部が非接触ＩＣカードによる入場を検出した場合に、前記第２の通信部が前記携帯端末から電源状態情報を読み取る手段と、読み取った電源状態情報がオン状態であった場合にオフ状態にするよう警告する手段と、改札出場時に前記第１の通信部が前記携帯端末から電源状態情報，オフ完了情報および携帯端末ＩＤを受信し電源状態情報がオフ状態であった場合に、前記携帯端末に電源オン要求情報を送信する手段と、磁気切符による出場を検出した場合、または、前記第１の通信部が非接触ＩＣカードによる出場を検出した場合に、前記第２の通信部が前記携帯端末から電源状態情報を読み取る手段と、読み取った電源状態情報がオフ状態であった場合に電源がオフ状態であることを表示する手段とを有することを特徴とする自動改札機。
【請求項１４】
前記携帯端末からオフ完了情報を受信したときに電源をオフ状態にしたことを表示する手段と、前記携帯端末からオン完了情報を受信することにより電源をオン状態にしたことを表示する手段とを、さらに有することを特徴とする請求項１３記載の自動改札機。
【請求項１５】
携帯端末，自動改札機間に近接型通信，近傍型通信の二種類の非接触通信手段を備え、前記携帯端末により改札入出場する場合は近接型通信で前記携帯端末の電源のオン，オフ制御を行い、磁気切符や非接触ＩＣカードを用いて入出場する場合は近傍型通信で前記携帯端末の電源状態を読み取り注意を促すことを特徴とする非接触通信による改札入出場管理方法。
【請求項１６】
携帯端末による改札入場時に自動改札機が近接型通信により前記携帯端末の電源状態情報を読み取り、電源がオン状態であった場合は前記携帯端末に指示してオフ状態にし、磁気切符または非接触ＩＣカードによる改札入場時に自動改札機が近傍型通信により前記携帯端末の電源状態情報を読み取り、電源がオン状態であった場合はオフ状態にするよう注意を促す表示を行うことを特徴とする非接触通信による改札入出場管理方法。
【請求項１７】
携帯端末による改札入場時に自動改札機が近接型通信により前記携帯端末の電源状態情報を読み取り、電源がオン状態であった場合は前記携帯端末に指示してオフ状態にし、前記携帯端末はオフ完了情報を記録し、磁気切符または非接触ＩＣカードによる改札入場時に前記自動改札機が近傍型通信により前記携帯端末の電源状態情報を読み取り、電源がオン状態であった場合はオフ状態にするよう注意を促す表示を行い、前記携帯端末による改札出場時に自動改札機が近接型通信により前記携帯端末の電源状態情報を読み取り、電源がオフ状態でありオフ完了情報が記録されていた場合は、前記携帯端末に指示して電源をオン状態にし、磁気切符または非接触ＩＣカードによる改札出場時に前記自動改札機が近傍型通信により前記携帯端末の電源状態情報を読み取り、電源がオフ状態であった場合は電源がオフ状態であることを表示することを特徴とする非接触通信による改札入出場管理方法。
【請求項１８】
電源のオン，オフ状態が変わる度に電源状態情報を第１および第２の非接触ＩＣ部に登録，更新する機能、外部装置から電源オフ要求情報を受信し電源をオフ状態にする機能、オフ完了情報を前記第１の非接触ＩＣ部に登録するとともに前記外部装置に送信する機能、をコンピュータに実現させるためのプログラム。
【請求項１９】
電源のオン，オフ状態が変わる度に電源状態情報を第１および第２の非接触ＩＣ部に登録，更新する機能、改札入場時に外部装置から電源オフ要求情報を受信しオフ状態にする機能、オフ完了情報を前記第１の非接触ＩＣ部に登録するとともに前記外部装置に送信する機能、改札出場時に前記外部装置から電源オン要求情報を受信し電源をオン状態にするとともにオン完了情報を前記外部装置に送信する機能、をコンピュータに実現させるためのプログラム。
【請求項２０】
改札入場時に第１の通信部が携帯端末から電源状態情報と携帯端末ＩＤを受信し電源状態情報がオン状態であった場合に、前記携帯端末に電源オフ要求情報を送信する機能、前記携帯端末からオフ完了情報を受信することにより電源をオフ状態にしたことを表示する機能、磁気切符による入場を検出した場合、または、前記第１の通信部が非接触ＩＣカードによる入場を検出した場合に、前記第２の通信部が前記携帯端末から電源状態情報を読み取る機能、読み取った電源状態情報がオン状態であった場合にオフ状態にするよう注意を促す表示を行う機能、をコンピュータに実現させるためのプログラム。
【請求項２１】
改札入場時に第１の通信部が携帯端末から電源状態情報と携帯端末ＩＤを受信し電源状態情報がオン状態であった場合に、前記携帯端末に電源オフ要求情報を送信する機能、前記携帯端末からオフ完了情報を受信することにより電源をオフ状態にしたことを表示する機能、磁気切符による入場を検出した場合、または、前記第１の通信部が非接触ＩＣカードによる入場を検出した場合に、前記第２の通信部が前記携帯端末から電源状態情報を読み取る機能、読み取った電源状態情報がオン状態であった場合にオフ状態にするよう注意を促す表示を行う機能、改札出場時に前記第１の通信部が前記携帯端末から電源状態情報，オフ完了情報および携帯端末ＩＤを受信し電源状態情報がオフ状態であった場合に、前記携帯端末に電源オン要求情報を送信する機能、前記携帯端末からオン完了情報を受信することにより電源をオン状態にしたことを表示する機能、磁気切符による出場を検出した場合、または、前記第１の通信部が非接触ＩＣカードによる出場を検出した場合に、前記第２の通信部が前記携帯端末から電源状態情報を読み取る機能、読み取った電源状態情報がオフ状態であった場合に電源がオフ状態であることを表示する機能、をコンピュータに実現させるためのプログラム。
【発明の詳細な説明】
【技術分野】
【０００１】
本発明は、非接触通信による改札入出場管理システム，方法，自動改札機，携帯端末およびプログラムに関し、特に近接型および近傍型非接触通信を用いた非接触通信による改札入出場管理システム，方法，自動改札機，携帯端末およびプログラムに関する。
【背景技術】
【０００２】
携帯電話機等の携帯端末は電源オン状態時に電波が送出されるため、列車内等において心臓ペースメーカー等の電子機器に悪影響を及ぼす恐れがある。このため、駅構内や列車内等では電源をオフ状態にするよう要請のアナウンスがなされている。しかし、実際に電源をオフ状態にするかどうかは各ユーザに委ねられており、徹底することは難しい状況にあった。
【０００３】
この問題を解決する一つの例として、特開２００２−１６５２６５号公報（特許文献１）に記載された発明がある。この特許文献１においては、
・改札等の入場時に携帯電話機を入場管理装置に近づけることにより、入場管理装置は携帯電話機の電源の状態を近距離無線通信により読み取り、
・読み取った電源の状態がオンの状態であった場合に、入場管理装置は携帯電話機に電源オフを要求し、
・電源オフ要求を受信した携帯電話機は電源をオフ状態にするとともに、入場時と現在の電源の状態を記憶する、
ことにより、駅構内等に入場する携帯電話機の電源を強制的にオフ状態にしている。
・また、出場時には、出場管理装置が携帯端末から入場時および現在の電源の状態を読み取り、入場時にオン状態で現在オフ状態であった場合に携帯電話機に電源オンを要求し、携帯電話機は電源をオン状態にすることが記載されている。
【０００４】
【特許文献１】特開２００２−１６５２６５号公報（段落「０１８７」，「０１９４」〜「０１９７」、「０２１７」〜「０２１９」、図１）
【発明の開示】
【発明が解決しようとする課題】
【０００５】
上述した特許文献１においては、携帯電話機を入場管理装置や出場管理装置にかざして入出場する場合の携帯電話機の電源状態制御技術が開示されている。しかし、改札入場する全ての人が携帯電話機により入場するわけではなく、実際には、磁気切符や非接触ＩＣ（Integrated Circuit）カードを用いて入場する人が多く存在する。そして、これらの人の殆どは携帯電話機を所持している。特許文献１に記載の発明においては、携帯電話機により改札入出場する人の携帯電話機の電源制御は行っているが、磁気切符や非接触ＩＣカードを用いて入場する人の所持する携帯電話機については何ら考慮されていないという問題がある。
【０００６】
本発明の目的は、上述した課題を解決する非接触通信による改札入出場管理システム，方法，自動改札機，携帯端末およびプログラムを提供することにある。
【課題を解決するための手段】
【０００７】
本発明の第１の非接触通信による改札入出場管理システムは、携帯端末と自動改札機を備えた非接触通信による改札入出場管理システムであって、
前記携帯端末は、携帯端末ＩＤが予め登録され近接型通信を行う第１の非接触ＩＣ部と、近傍型通信を行う第２の非接触ＩＣ部と、電源のオン，オフ状態が変わる度に電源状態情報を前記第１および第２の非接触ＩＣ部に登録，更新する手段と、前記自動改札機から電源オフ要求情報を受信して電源をオフ状態にする手段とを有し、
前記自動改札機は、近接型通信を行う第１の通信部と、近傍型通信を行う第２の通信部と、改札入場時に前記第１の通信部が前記携帯端末から電源状態情報と携帯端末ＩＤを受信し電源状態情報がオン状態であった場合に、前記携帯端末に電源オフ要求情報を送信する手段と、磁気切符による入場を検出した場合、または、前記第１の通信部が非接触ＩＣカードによる入場を検出した場合に、前記第２の通信部が前記携帯端末から電源状態情報を読み取る手段と、読み取った電源状態情報がオン状態であった場合にオフ状態にするよう警告する手段とを有する。
【０００８】
本発明の第２の非接触通信による改札入出場管理システムは、本発明の第１の非接触通信による改札入出場管理システムにおいて、前記携帯端末は、前記自動改札機からの要求で電源をオフ状態にしたときに、オフ完了情報を前記自動改札機に送信するとともに前記第１の非接触ＩＣ部に登録する手段をさらに有し、前記自動改札機は、オフ完了情報を受信したときに電源をオフ状態にしたことを表示する手段をさらに有する。
【０００９】
本発明の第３の非接触通信による改札入出場管理システムは、本発明の第１または第２の非接触通信による改札入出場管理システムにおいて、前記自動改札機は、前記第２の通信部が前記携帯端末から読み取った電源状態情報がオン状態であった場合に自動改札機に備えられたゲートを閉じる手段を、さらに有する。
【００１０】
本発明の第４の非接触通信による改札入出場管理システムは、携帯端末と自動改札機を備えた非接触通信による改札入出場管理システムであって、
前記携帯端末は、携帯端末ＩＤが予め登録され近接型通信を行う第１の非接触ＩＣ部と、近傍型通信を行う第２の非接触ＩＣ部と、電源のオン，オフ状態が変わる度に電源状態情報を前記第１および第２の非接触ＩＣ部に登録，更新する手段と、改札入場時に前記自動改札機から電源オフ要求情報を受信して電源をオフ状態にし、オフ完了情報を前記第１の非接触ＩＣ部に登録する手段と、改札出場時に前記自動改札機から電源オン要求情報を受信して電源をオン状態にする手段とを有し、
前記自動改札機は、近接型通信を行う第１の通信部と、近傍型通信を行う第２の通信部と、改札入場時に前記第１の通信部が前記携帯端末から電源状態情報と携帯端末ＩＤを受信し電源状態情報がオン状態であった場合に、前記携帯端末に電源オフ要求情報を送信する手段と、磁気切符による入場を検出した場合、または、前記第１の通信部が非接触ＩＣカードによる入場を検出した場合に、前記第２の通信部が前記携帯端末から電源状態情報を読み取る手段と、読み取った電源状態情報がオン状態であった場合にオフ状態にするよう警告する手段と、改札出場時に前記第１の通信部が電源状態情報，オフ完了情報および携帯端末ＩＤを受信し電源状態情報がオフ状態であった場合に、前記携帯端末に電源オン要求情報を送信する手段と、磁気切符による出場を検出した場合、または、前記第１の通信部が非接触ＩＣカードによる出場を検出した場合に、前記第２の通信部が前記携帯端末から電源状態情報を読み取る手段と、読み取った電源状態情報がオフ状態であった場合に電源がオフ状態であることを表示する手段とを有する。
【００１１】
本発明の第５の非接触通信による改札入出場管理システムは、本発明の第４の非接触通信による改札入出場管理システムにおいて、前記携帯端末はオフ完了情報を前記自動改札機に送信する手段をさらに有し、前記自動改札機はオフ完了情報を受信したときに電源をオフ状態にしたことを表示する手段をさらに有する。
【００１２】
本発明の第６の非接触通信による改札入出場管理システムは、本発明の第４または第５の非接触通信による改札入出場管理システムにおいて、前記携帯端末は、改札出場時に前記自動改札機から電源オン要求情報を受信して電源をオン状態にしたときに、オン完了情報を前記自動改札機に送信する手段をさらに有し、前記自動改札機は、オン完了情報を受信したときに電源をオン状態にしたことを表示する手段をさらに有する。
【００１３】
本発明の第１の携帯端末は、携帯端末ＩＤが予め登録され近接型通信を行う第１の非接触ＩＣ部と、近傍型通信を行う第２の非接触ＩＣ部と、電源のオン，オフ状態が変わる度に電源状態情報を前記第１および第２の非接触ＩＣ部に登録，更新する手段と、外部装置から前記第１の非接触ＩＣ部を介して電源オフ要求情報を受信し電源をオフ状態にする手段とを有する。
【００１４】
本発明の第２の携帯端末は、本発明の第１の携帯端末において、電源オフ要求情報を受信し電源をオフ状態にしたときに、オフ完了情報を前記第１の非接触ＩＣ部に登録するとともに前記外部装置に送信する手段を、さらに有する。
【００１５】
本発明の第３の携帯端末は、携帯端末ＩＤが予め登録され近接型通信を行う第１の非接触ＩＣ部と、近傍型通信を行う第２の非接触ＩＣ部と、電源のオン，オフ状態が変わる度に電源状態情報を前記第１および第２の非接触ＩＣ部に登録，更新する手段と、改札入場時に外部装置から前記第１の非接触ＩＣ部を介して電源オフ要求情報を受信し電源をオフ状態にする手段と、オフ完了情報を前記第１の非接触ＩＣ部に登録する手段と、改札出場時に前記外部装置から前記第１の非接触ＩＣ部を介して電源オン要求情報を受信し電源をオン状態にする手段とを有する。
【００１６】
本発明の第４の携帯端末は、本発明の第３の携帯端末において、オフ完了情報を前記外部装置に送信する手段と、電源オン要求情報を受信して電源をオン状態にしたときに、オン完了情報を前記外部装置に送信する手段とを、さらに有する。
【００１７】
本発明の第１の自動改札機は、近接型通信を行う第１の通信部と、近傍型通信を行う第２の通信部と、改札入場時に前記第１の通信部が携帯端末から電源状態情報と携帯端末ＩＤを受信し電源状態情報がオン状態であった場合に、前記携帯端末に電源オフ要求情報を送信する手段と、磁気切符による入場を検出した場合、または、前記第１の通信部が非接触ＩＣカードによる入場を検出した場合に、前記第２の通信部が前記携帯端末から電源状態情報を読み取る手段と、読み取った電源状態情報がオン状態であった場合にオフ状態にするよう警告する手段とを有する。
【００１８】
本発明の第２の自動改札機は、本発明の第１の自動改札機において、前記携帯端末からオフ完了情報を受信することにより電源をオフ状態にしたことを表示する手段を、さらに有する。
【００１９】
本発明の第３の自動改札機は、近接型通信を行う第１の通信部と、近傍型通信を行う第２の通信部と、改札入場時に前記第１の通信部が携帯端末から電源状態情報と携帯端末ＩＤを受信し電源状態情報がオン状態であった場合に、前記携帯端末に電源オフ要求情報を送信する手段と、磁気切符による入場を検出した場合、または、前記第１の通信部が非接触ＩＣカードによる入場を検出した場合に、前記第２の通信部が前記携帯端末から電源状態情報を読み取る手段と、読み取った電源状態情報がオン状態であった場合にオフ状態にするよう警告する手段と、改札出場時に前記第１の通信部が前記携帯端末から電源状態情報，オフ完了情報および携帯端末ＩＤを受信し電源状態情報がオフ状態であった場合に、前記携帯端末に電源オン要求情報を送信する手段と、磁気切符による出場を検出した場合、または、前記第１の通信部が非接触ＩＣカードによる出場を検出した場合に、前記第２の通信部が前記携帯端末から電源状態情報を読み取る手段と、読み取った電源状態情報がオフ状態であった場合に電源がオフ状態であることを表示する手段とを有する。
【００２０】
本発明の第４の自動改札機は、本発明の第３の自動改札機において、前記携帯端末からオフ完了情報を受信したときに電源をオフ状態にしたことを表示する手段と、前記携帯端末からオン完了情報を受信することにより電源をオン状態にしたことを表示する手段とを、さらに有する。
【００２１】
本発明の第１の非接触通信による改札入出場管理方法は、携帯端末，自動改札機間に近接型通信，近傍型通信の二種類の非接触通信手段を備え、前記携帯端末により改札入出場する場合は近接型通信で前記携帯端末の電源のオン，オフ制御を行い、磁気切符や非接触ＩＣカードを用いて入出場する場合は近傍型通信で前記携帯端末の電源状態を読み取り注意を促すことを特徴とする。
【００２２】
本発明の第２の非接触通信による改札入出場管理方法は、携帯端末による改札入場時に自動改札機が近接型通信により前記携帯端末の電源状態情報を読み取り、電源がオン状態であった場合は前記携帯端末に指示してオフ状態にし、磁気切符または非接触ＩＣカードによる改札入場時に自動改札機が近傍型通信により前記携帯端末の電源状態情報を読み取り、電源がオン状態であった場合はオフ状態にするよう注意を促す表示を行うことを特徴とする。
【００２３】
本発明の第３の非接触通信による改札入出場管理方法は、携帯端末による改札入場時に自動改札機が近接型通信により前記携帯端末の電源状態情報を読み取り、電源がオン状態であった場合は前記携帯端末に指示してオフ状態にし、前記携帯端末はオフ完了情報を記録し、磁気切符または非接触ＩＣカードによる改札入場時に前記自動改札機が近傍型通信により前記携帯端末の電源状態情報を読み取り、電源がオン状態であった場合はオフ状態にするよう注意を促す表示を行い、前記携帯端末による改札出場時に自動改札機が近接型通信により前記携帯端末の電源状態情報を読み取り、電源がオフ状態でありオフ完了情報が記録されていた場合は、前記携帯端末に指示して電源をオン状態にし、磁気切符または非接触ＩＣカードによる改札出場時に前記自動改札機が近傍型通信により前記携帯端末の電源状態情報を読み取り、電源がオフ状態であった場合は電源がオフ状態であることを表示することを特徴とする。
【００２４】
本発明の第１のプログラムは、電源のオン，オフ状態が変わる度に電源状態情報を第１および第２の非接触ＩＣ部に登録，更新する機能、外部装置から電源オフ要求情報を受信し電源をオフ状態にする機能、オフ完了情報を前記第１の非接触ＩＣ部に登録するとともに前記外部装置に送信する機能、をコンピュータに実現させる。
【００２５】
本発明の第２のプログラムは、電源のオン，オフ状態が変わる度に電源状態情報を第１および第２の非接触ＩＣ部に登録，更新する機能、改札入場時に外部装置から電源オフ要求情報を受信しオフ状態にする機能、オフ完了情報を前記第１の非接触ＩＣ部に登録するとともに前記外部装置に送信する機能、改札出場時に前記外部装置から電源オン要求情報を受信し電源をオン状態にするとともにオン完了情報を前記外部装置に送信する機能、をコンピュータに実現させる。
【００２６】
本発明の第３のプログラムは、改札入場時に第１の通信部が携帯端末から電源状態情報と携帯端末ＩＤを受信し電源状態情報がオン状態であった場合に、前記携帯端末に電源オフ要求情報を送信する機能、前記携帯端末からオフ完了情報を受信することにより電源をオフ状態にしたことを表示する機能、磁気切符による入場を検出した場合、または、前記第１の通信部が非接触ＩＣカードによる入場を検出した場合に、前記第２の通信部が前記携帯端末から電源状態情報を読み取る機能、読み取った電源状態情報がオン状態であった場合にオフ状態にするよう注意を促す表示を行う機能、をコンピュータに実現させる。
【００２７】
本発明の第４のプログラムは、改札入場時に第１の通信部が携帯端末から電源状態情報と携帯端末ＩＤを受信し電源状態情報がオン状態であった場合に、前記携帯端末に電源オフ要求情報を送信する機能、前記携帯端末からオフ完了情報を受信することにより電源をオフ状態にしたことを表示する機能、磁気切符による入場を検出した場合、または、前記第１の通信部が非接触ＩＣカードによる入場を検出した場合に、前記第２の通信部が前記携帯端末から電源状態情報を読み取る機能、読み取った電源状態情報がオン状態であった場合にオフ状態にするよう注意を促す表示を行う機能、改札出場時に前記第１の通信部が前記携帯端末から電源状態情報，オフ完了情報および携帯端末ＩＤを受信し電源状態情報がオフ状態であった場合に、前記携帯端末に電源オン要求情報を送信する機能、前記携帯端末からオン完了情報を受信することにより電源をオン状態にしたことを表示する機能、磁気切符による出場を検出した場合、または、前記第１の通信部が非接触ＩＣカードによる出場を検出した場合に、前記第２の通信部が前記携帯端末から電源状態情報を読み取る機能、読み取った電源状態情報がオフ状態であった場合に電源がオフ状態であることを表示する機能、をコンピュータに実現させる。
【発明の効果】
【００２８】
本発明は、携帯端末により改札入出場する場合は自動改札機が近接型通信で携帯端末の電源のオン，オフ制御を行い、磁気切符や非接触ＩＣカードを用いて入出場する場合は近傍型通信で携帯端末の電源状態を読み取り注意を促している。これにより、携帯端末以外の磁気切符や非接触ＩＣカードを用いて入出場する人の所持する携帯端末の電源状態についても警告することが可能になるため、駅構内や列車内等における携帯端末の電源オフの徹底に寄与するという効果が得られる。
【発明を実施するための最良の形態】
【００２９】
本発明の実施の形態について図面を参照して詳細に説明する。
【００３０】
図１は、本発明の一実施の形態の構成を示す図であり、携帯端末１０と、自動改札機２０とを備えている。
【００３１】
携帯端末１０は、ユーザに携帯される携帯電話機，ＰＨＳ（Personal Handyphone System），ＰＤＡ等の携帯情報端末である。この携帯端末１０は、近接型通信用ＩＣ１１と、近傍型通信用ＩＣ１２と、制御部１３と、電源制御部１４と、電池１５とを備えている。
【００３２】
近接型通信用ＩＣ１１は、近接型通信により自動改札機２０と情報の送受信を行うＩＣチップであり、携帯端末１０を切符代わりに用いる場合に使用される。この近接型通信用ＩＣ１１は、近接型通信用アンテナ１１１と、送受信部１１２と、制御部１１３と、記憶部１１４と、接続部１１５とを備えている。近傍型通信用ＩＣ１２は、近傍型通信により自動改札機２０から情報を読み取られる無線タグ等のＩＣチップであり、近傍型通信用アンテナ１２１と、送受信部１２２と、制御部１２３と、記憶部１２４と、接続部１２５とを備えている。なお、近接型通信とは通信距離が２０cm程度までの非接触通信であり、本発明においては携帯端末１０を自動改札機２０にかざしたときの通信手段として用いている。また、近傍型通信とは通信距離が２m程度までの非接触通信であり、本発明において
は携帯端末１０を自動改札機２０にかざさず、ユーザが単に所持しているときの携帯端末１０，自動改札機２０間の通信手段として用いている。近接型通信用アンテナ１１１，送受信部１１２、近傍型通信用アンテナ１２１，送受信部１２２は、それぞれ近接型通信，近傍型通信を行うときのアンテナ，送受信部である。制御部１１３，１２３はＣＰＵ（Central Processing Unit）であり、それぞれ記憶部１１４，１２４に対する情報の書き込
み，読み取りを行う。記憶部１１４，１２４は自動改札機２０と送受信する情報を記憶するメモリであり、記憶部１１４には定期券情報やプリペイド料金情報，携帯端末ＩＤ情報，電源状態情報，オフ完了情報を含む情報が、記憶部１２４には電源状態情報が記憶されている。接続部１１５，１２５は制御部１１３，１２３と制御部１３とをそれぞれ接続する信号線であり、送信信号線，受信信号線を含んでいる。
【００３３】
制御部１３はＣＰＵ等の制御装置であり、プログラムにより動作を制御される。この制御部１３は、
・電源状態（オン，オフ）が変化する度に近接型通信用ＩＣ１１および近傍型通信用ＩＣ１２に書き込む機能、
・自動改札機２０からの電源オフ要求受信時に携帯端末１０の電源をオフにし、オフ完了情報を近接型通信用ＩＣ１１に書き込むとともに、近接型通信用ＩＣ１１を介して自動改札機２０に送信する機能、
・自動改札機２０からの電源オン要求，オフ完了情報消去要求受信時に携帯端末１０の電源をオンにし、オン完了情報を近接型通信用ＩＣ１１を介して自動改札機２０に送信するとともに、近接型通信用ＩＣ１１に記憶されたオフ完了情報を消去する機能、
を備えている。
【００３４】
電源制御部１４は携帯端末１０の電源をオン状態またはオフ状態に制御する機能を備え、電池１５は携帯端末１０の各部に電源を供給する二次電池である。
【００３５】
自動改札機２０は、駅等に設置され自動改札を行う装置であり、近接型通信部２１と、近傍型通信部２２と、磁気切符読取部２３と、制御部２４と、ゲート２５と、ゲート開閉制御部２６と、表示部２７と、スピーカ２８とを備えている。
【００３６】
近接型通信により携帯端末１０と通信を行う近接型通信部２１は、携帯端末１０の近接型通信用ＩＣ１１に情報を書き込んだり、近接型通信用ＩＣ１１から情報を読み取るＩＣリーダライタ２１１を備えている。このＩＣリーダライタ２１１は、図３（携帯端末１０により入場する場合の改札状況を示す図）に示すように、自動改札機２０の入場側近くに備えられており、上方にかざされた携帯端末１０や非接触ＩＣカードとの間で近接型通信を行う。近接型通信を行う携帯端末１０や非接触ＩＣカードの内部には定期券情報やプリペイド料金情報等が記憶されている。近傍型通信により携帯端末１０と通信を行う近傍型通信部２２は、携帯端末１０の近傍型通信用ＩＣ１２から情報を読み取るＩＣリーダ２２１を備えている。このＩＣリーダ２２１は、図４（磁気切符や非接触ＩＣカードにより入場する場合の改札状況を示す図）に示すように、ＩＣリーダライタ２１１とゲート２５の間の天井部分（上方空間）に設置されている。そして、ＩＣリーダ２２１は、ＩＣリーダライタ２１１からユーザ進行方向に２０cm程度進んだ位置を基点とし、その基点からゲート２５までのユーザ進行方向空間に存在する携帯端末１０との間で近傍型通信可能な指向性を持つ図示しないアンテナを含んでいる。ＩＣリーダライタ２１１からユーザ進行方向に２０cm程度進んだ位置を基点とするのは、ＩＣリーダライタ２１１にかざして近接型通信により入出場する場合の携帯端末１０を近傍型通信の範囲外とするためである。なお、この近傍型通信用アンテナの設置場所は、上記の近傍型通信範囲を満足しさえすれば、天井部分でなくても、例えば、自動改札機２０の内側側面等であってもよい。磁気切符読取部２３は、切符自動販売機等から購入された磁気切符（磁気記録媒体付き切符）や磁気定期券（磁気記録媒体付き定期券カード）等が挿入されたときに、磁気記録を読み取る機能を備えている。
【００３７】
制御部２４はＣＰＵ等の制御装置であり、プログラムにより動作を制御される。この制御部２４は、
・ユーザ入場時に、近接型通信により取得した携帯端末１０の電源状態がオンであった場合に、携帯端末１０に対して電源オフを要求する機能、
・携帯端末１０からオフ完了情報を受信したときに、携帯端末１０の電源をオフしたことを表示部２７やスピーカ２８を介してユーザに通知する機能、
・携帯端末１０以外の磁気切符や非接触ＩＣカードによる入場の場合は近傍型通信を有効にし、携帯端末１０から近傍型通信により電源状態情報を取得する機能、
・近傍型通信により取得した電源状態がオンであった場合に、ゲート開閉制御部２６にゲート２５を閉じるよう指示するとともに、表示部２７やスピーカ２８により電源をオフするようユーザに依頼する機能、
・ユーザ出場時に、近接型通信により携帯端末１０から電源オン状態とオフ完了情報を取得した場合に、携帯端末１０に対して電源オンとオフ完了情報の消去を要求する機能、
・携帯端末１０からオン完了情報を受信したときに、携帯端末１０の電源をオン状態にしたことを表示部２７やスピーカ２８を介してユーザに通知する機能、
・携帯端末１０以外の磁気切符や非接触ＩＣカードによる出場の場合は近傍型通信を有効にし、携帯端末１０から近傍型通信により電源状態情報を取得する機能、
・近傍型通信により取得した電源状態がオフであった場合に、表示部２７やスピーカ２８により携帯端末１０の電源がオフ状態であることをユーザに通知する機能、
を備えている。なお、制御部２４は、携帯端末１０の近接型通信用ＩＣ１１に格納された定期券情報の正当性チェックやプリペイド料金の精算処理等も行うが、これらの処理は本発明とは直接関係がないので詳細な説明は省略する。
【００３８】
ゲート開閉制御部２６は、ユーザの入出場を許可，規制するためのゲート２５の開閉を制御する機能を備える。表示部２７は、ＬＣＤ(Liquid Crystal Display)等のディスプレイであり、スピーカ２８は音声によりユーザへの通知を行う。なお、表示部２７，スピーカ２８は、図４に示すように、自動改札機２０の本体上に備えられるが、自動改札機２０の前方空間（進行方向）に備えるようにしてもよい。
【００３９】
次に、本発明の一実施の形態の動作について説明する。
【００４０】
最初に、本発明の一実施の形態における改札入場時の動作について図１〜図４を参照して説明する。図２は、本発明の一実施の形態における改札入場時の動作を示すフローチャートである。
【００４１】
図２を参照すると、携帯端末１０の制御部１３は、電源制御部１４から電源状態（オン，オフ状態）が変わる度にオン状態，オフ状態のいずれかの電源状態情報を受信し、近接型通信用ＩＣ１１および近傍型通信用ＩＣ１２に送信する。近接型通信用ＩＣ１１の制御部１１３は受信した電源状態情報を記憶部１１４に上書き更新する。同様に、近傍型通信用ＩＣ１２の制御部１２３も受信した電源状態情報を記憶部１２４に上書き更新する。これにより、携帯端末１０の現在の電源状態が近接型通信用ＩＣ１１および近傍型通信用ＩＣ１２に格納される。以上の動作は改札入場時，出場時に関係なく常時行われている。また、近接型通信用ＩＣ１１の記憶部１１４には予め携帯端末ＩＤが格納されている。この携帯端末ＩＤは、携帯端末を使用した入出場であることを自動改札機２０が識別できればよいため、予め定めた特定の番号やキーワード等でよい（ステップＡ１）。
【００４２】
次に、ユーザが駅構内に入場するために自動改札機２０で入場操作を行う（ステップＡ２）。ユーザが携帯端末１０を自動改札機２０のＩＣリーダライタ２１１にかざすと、ＩＣリーダライタ２１１は携帯端末１０の近接型通信用ＩＣ１１から電源状態情報と携帯端末ＩＤを読み取り、読み取った情報を制御部２４に送信する。なお、このときＩＣリーダライタ２１１は近接型通信用ＩＣ１１に格納された定期券情報等を併せて読み取り、制御部２４による正当性のチェック等も行うが、この部分は本発明とは直接関係がないので詳細な説明は省略する（ステップＡ３→ステップＡ４）。
【００４３】
制御部２４は、携帯端末ＩＤが読み取れたかを判別し（ステップＡ５）、読み取れた場合は電源状態情報がオン状態かを判別する（ステップＡ６）。電源がオン状態でなかった場合（オフ状態であった場合）、制御部２４は定期券情報の正当性チェック等で問題がなかったことを確認し、ゲート開閉制御部２６にゲート２５を開くよう指示する（ステップＡ６→ステップＡ１９）。
【００４４】
ステップＡ６において、電源がオン状態であった場合、制御部２４はＩＣリーダライタ２１１を介して携帯端末１０に電源オフを要求する（ステップＡ７）。携帯端末１０の近接型通信用ＩＣ１１は電源オフ要求を受信し、制御部１３に送信する。制御部１３は、電源制御部１４に電源をオフするよう指示し、電源制御部１４は携帯端末１０の電源をオフ状態にする。その後、制御部１３はオフ完了情報（携帯端末１０の電源をオフ状態にしたことを通知する情報）を自動改札機２０に送信する（ステップＡ８）。また、制御部１３は、電源オフ状態情報とオフ完了情報を近接型通信用ＩＣ１１に書き込むとともに、電源オフ状態情報を近傍型通信用ＩＣ１２に書き込む。詳細には、制御部１３が近接型通信用ＩＣ１１の制御部１１３，近傍型通信用ＩＣ１２の制御部１２３に書き込みを要求し、制御部１１３，１２３が記憶部１１４，１２４にそれぞれ上書き更新で書き込む（ステップＡ９）。
【００４５】
オフ完了情報をＩＣリーダライタ２１１を介して受信した自動改札機２０の制御部２４は、携帯端末１０の電源をオフしたことをユーザに通知する。詳細には、制御部２４は、表示部２７にテキスト等で表示するとともに、スピーカ２８により予め登録された音声情報を出力する。なお、この通知は、表示部２７またはスピーカ２８のいずれか一方により行うようにしてもよい（ステップＡ１０→ステップＡ１１）。また、オフ完了情報を受信した制御部２４は定期券情報の正当性チェック等で問題がなかったことを確認し、ゲート開閉制御部２６にゲート２５を開くよう指示する（ステップＡ１１→ステップＡ１９）。
【００４６】
以上、携帯端末１０による改札入場時の動作について説明したが、次に、携帯端末１０以外による改札入場時の動作について説明する。なお、携帯端末１０以外による改札入場とは、例えば、磁気切符や非接触ＩＣカードによる改札入場である。
【００４７】
自動改札機２０の制御部２４は、磁気切符による改札入場であることを、ユーザが磁気切符を磁気切符読取部２３に挿入したときに磁気切符読取部２３から読み取り情報を受信することより判別する（ステップＡ１２）。また、非接触ＩＣカードによる改札入場であることは、上記ステップＡ５において、携帯端末ＩＤが読み取れなかったことにより判別する（ステップＡ５においてＮＯの場合）。なお、ステップＡ３において、非接触ＩＣカードによる改札入場の場合は、ユーザが非接触ＩＣカードを自動改札機２０のＩＣリーダライタ２１１にかざすと、ＩＣリーダライタ２１１は定期券情報やプリペイド料金情報等の情報を読み取る。そして、読み取った情報を制御部２４に送信するが、制御部２４は送信元がＩＣリーダライタ２１１で携帯端末ＩＤが含まれていないことから、携帯端末ではなく非接触ＩＣカードによる入場と判断する。ステップＡ１２またはステップＡ５におけるＮＯの場合に、制御部２４は近傍型通信部２２を有効にする。詳細には、例えば、近傍型通信部２２の電源を所定時間（例えば、１分間）オンにする（ステップＡ１３）。
【００４８】
次に、電源がオン状態になった近傍型通信部２２のＩＣリーダ２２１は携帯端末１０の近傍型通信用ＩＣ１２から電源状態情報を読み取る（ステップＡ１４）。電源状態情報を読み取れなかった場合は、ユーザが携帯端末１０を携帯していないか、携帯端末１０が近傍型通信用ＩＣ１２を備えていないと判断する。この場合、制御部２４は磁気切符や非接触ＩＣカードの正当性に問題がなければ、ゲート開閉制御部２６にゲート２５を開くよう指示する（ステップＡ１５→ステップＡ１９）。
【００４９】
ステップＡ１５において、電源状態情報を読み取れた場合は、制御部２４は電源状態情報がオン状態かを判別する（ステップＡ１６）。電源がオン状態でなかった場合（オフ状態であった場合）、制御部２４は磁気切符や非接触ＩＣカードの正当性に問題がなければ、ゲート開閉制御部２６にゲート２５を開くよう指示する（ステップＡ１６→ステップＡ１９）。
【００５０】
ステップＡ１６において、電源がオン状態であった場合、制御部２４はゲート開閉制御部２６にゲート２５を閉じるよう指示する（ステップＡ１６→ステップＡ１７）。そして、制御部２４は、携帯端末１０の電源をオフにするようユーザに依頼する。詳細には、制御部２４は、表示部２７にテキスト等で表示するとともに、スピーカ２８により予め登録された音声情報を出力する。なお、この通知は、表示部２７またはスピーカ２８のいずれか一方により行うようにしてもよい（ステップＡ１８）。
【００５１】
この後、通知を参照したユーザは携帯している携帯端末１０の電源をオフ状態にする。制御部２４は、ステップＡ１６で電源のオフ状態が確認されるまで、ステップＡ１４〜ステップＡ１８の動作を繰り返す。
【００５２】
次に、本発明の一実施の形態における改札出場時の動作について図１および図５を参照して説明する。図５は、本発明の一実施の形態における改札出場時の動作を示すフローチャートである。
【００５３】
図５を参照すると、ステップＢ１の動作は上述した図４のステップＡ１と同じであるため、再度の説明を省略する。
【００５４】
次に、ユーザが駅構内から出場するために自動改札機２０で出場操作を行う（ステップＢ２）。ユーザが携帯端末１０を自動改札機２０のＩＣリーダライタ２１１にかざすと、ＩＣリーダライタ２１１は携帯端末１０の近接型通信用ＩＣ１１から電源状態情報，オフ完了情報，携帯端末ＩＤを読み取り、読み取った情報を制御部２４に送信する（ステップＢ３→ステップＢ４）。
【００５５】
制御部２４は携帯端末ＩＤが読み取れたかを判別し（ステップＢ５）、読み取れた場合は電源状態情報がオン状態かを判別する（ステップＢ６）。電源がオン状態であった場合、制御部２４は処理を終了する。ステップＢ６において、電源がオフ状態であった場合、制御部２４はオフ完了情報が読み取れたかを判別する（ステップＢ６→ステップＢ７）。オフ完了情報が読み取れなかった場合、制御部２４は処理を終了する。オフ完了信号が読み取れた場合、制御部２４はＩＣリーダライタ２１１を介して携帯端末１０に電源オンを要求するとともに、オフ完了情報の消去を要求する（ステップＢ７→ステップＢ８）。
【００５６】
携帯端末１０の近接型通信用ＩＣ１１は電源オフ要求とオフ完了情報消去要求を受信し、制御部１３に送信する。制御部１３は、電源制御部１４に電源をオンするよう指示し、電源制御部１４は携帯端末１０の電源をオン状態にする。その後、制御部１３はオン完了情報（携帯端末１０の電源をオン状態にしたことを通知する情報）を自動改札機２０に送信する（ステップＢ９）。また、制御部１３は、電源オン状態情報を近接型通信用ＩＣ１１および近傍型通信用ＩＣ１２に書き込むとともに、近接型通信用ＩＣ１１に記録されたオフ完了情報を消去する。詳細には、制御部１３が近接型通信用ＩＣ１１の制御部１１３，近傍型通信用ＩＣ１２の制御部１２３に書き込みや消去を要求する（ステップＢ１０）。
【００５７】
オン完了情報をＩＣリーダライタ２１１を介して受信した自動改札機２０の制御部２４は、携帯端末１０の電源をオンしたことをユーザに通知する。詳細には、制御部２４は、表示部２７にテキスト等で表示するとともに、スピーカ２８により予め登録された音声情報を出力する。なお、この通知は、表示部２７またはスピーカ２８のいずれか一方により行うようにしてもよい（ステップＢ１１→ステップＢ１２）。
【００５８】
以上、携帯端末１０による改札入場時の動作について説明したが、次に、携帯端末１０以外による改札入場時の動作について説明する。なお、携帯端末１０以外による改札入場とは、例えば、磁気切符や非接触ＩＣカードによる改札入場である。
【００５９】
自動改札機２０の制御部２４は、磁気切符による改札出場であることを、ユーザが磁気切符を磁気切符読取部２３に挿入したときに磁気切符読取部２３から読み取り情報を受信することより判別する（ステップＢ１３）。また、非接触ＩＣカードによる改札出場であることは、上記ステップＢ５において、携帯端末ＩＤが読み取れなかったことにより判別する（ステップＢ５においてＮＯの場合）。ステップＢ１３、またはステップＢ５におけるＮＯの場合に、制御部２４は近傍型通信部２２を有効にする。詳細には、例えば、近傍型通信部２２の電源を所定時間（例えば、１分間）オンにする（ステップＢ１４）。
【００６０】
次に、近傍型通信部２２のＩＣリーダ２２１は携帯端末１０の近傍型通信用ＩＣ１２から電源状態情報を読み取る（ステップＢ１５）。電源状態情報を読み取れなかった場合は、ユーザが携帯端末１０を携帯していないか、携帯端末１０が近傍型通信用ＩＣ１２を備えていないと判断して、制御部２４は処理を終了する。電源状態情報を読み取れた場合は、制御部２４は電源状態情報がオン状態かを判別する（ステップＢ１６→ステップＢ１７）。電源がオン状態であった場合、制御部２４は処理を終了する。電源がオフ状態であった場合、制御部２４は、携帯端末１０の電源がオフ状態であることをユーザに通知する。詳細には、制御部２４は、表示部２７にテキスト等で表示するとともに、スピーカ２８により予め登録された音声情報を出力する。なお、この通知は、表示部２７またはスピーカ２８のいずれか一方により行うようにしてもよい（ステップＢ１８）。
【００６１】
以上説明したように、本実施の形態においては、携帯端末１０，自動改札機２０間に近接型通信，近傍型通信の二種類の非接触通信手段を備えている。切符代わりの携帯端末１０により改札入出場する場合は近接型通信で携帯端末１０の電源のオン，オフ制御を行い、磁気切符や非接触ＩＣカードを用いて入出場する場合は近傍型通信で携帯端末１０の電源状態を読み取り注意を促している。これにより、携帯端末１０以外の磁気切符や非接触ＩＣカードを用いて入出場する人の所持する携帯端末の電源状態についても警告することが可能になるという効果が得られる。
【００６２】
また、改札入場時に自動改札機２０が電源をオフ状態に切替えた携帯端末１０においては切替情報を記録しておき、改札出場時に電源がオフ状態で切替情報が記録されていた場合に、自動改札機２０が携帯端末１０の電源をオン状態に戻している。このため、改札入場時の電源制御だけでなく、改札出場時の電源制御も可能になるという効果が得られる。
【００６３】
次に、本発明の応用例，変形例等について説明する。
【００６４】
・上述した一実施の形態においては、改札入出場時に携帯端末１０の電源の制御または警告を行うとして説明したが、電源の代わりにマナーモードを対象にしてもよい。この場合は、通常着信モードかマナーモードかの状態を携帯端末１０の近接型通信用ＩＣ１１，近傍型通信用ＩＣ１２に記録しておき、自動改札機２０がこの情報を読み取って制御（例えば、入場時にはマナーモードに強制切替等）や警告を行うことになる。
【００６５】
・上述した一実施の形態においては、磁気切符や非接触ＩＣカードによる改札入場時にだけ近傍型通信を有効にするとして説明したが、常時有効にするようにしてもよい。
【００６６】
・上述した一実施の形態においては、入場時に携帯端末１０の電源がオン状態の場合にはゲート２５を閉じ、オフ状態の場合にはゲート２５を開くよう制御するとして説明したが、電源状態によるゲート２５の開閉制御を行わないようにしてもよい。この場合は、ゲート２５の開閉は切符，定期券情報やプリペイドカード情報等のみで制御されることになり、携帯端末１０の電源状態は開閉制御に影響を与えないことになる。
【００６７】
・上述した一実施の形態においては、入場時に携帯端末１０の電源をオフ状態にしたこと、および、出場時に携帯端末１０の電源をオン状態に戻したことを表示部２７への表示等によりユーザに通知しているが、通知しないようにしてもよい。
【図面の簡単な説明】
【００６８】
【図１】本発明の一実施の形態の構成を示す図である。
【図２】本発明の一実施の形態における改札入場時の動作を示すフローチャートである。
【図３】携帯端末１０により入場する場合の改札状況を示す図である。
【図４】磁気切符や非接触ＩＣカードにより入場する場合の改札状況を示す図である。
【図５】本発明の一実施の形態における改札出場時の動作を示すフローチャートである。
【符号の説明】
【００６９】
１０    携帯端末
１１    近接型通信用ＩＣ
１１１    近接型通信用アンテナ
１１２    送受信部
１１３    制御部
１１４    記憶部
１１５    接続部
１２    近傍型通信用ＩＣ
１２１    近傍型通信用アンテナ
１２２    送受信部
１２３    制御部
１２４    記憶部
１２５    接続部
１３    制御部
１４    電源制御部
１５    電池
２０    自動改札機
２１    近接型通信部
２１１    ＩＣリーダライタ
２２    近傍型通信部
２２１    ＩＣリーダ
２３    磁気切符読取部
２４    制御部
２５    ゲート
２６    ゲート開閉制御部
２７    表示部
２８    スピーカ
【図１】
2007004540.tif 000003
【図２】
2007004540.tif 000004
【図３】
2007004540.tif 000005
【図４】
2007004540.tif 000006
【図５】
2007004540.tif 000007